(57)【特許請求の範囲】
【請求項１】
矩形の発光面を有する複数の発光素子が並んで配置されることによって構成される細長い矩形の発光面を有する光源であって、縁を持つ発光面を有する光源が発した光を反射して、互いに角度を持つ第１カットオフラインおよび第２カットオフラインを有する配光パターンを形成するリフレクタと、
前記リフレクタにより反射された光が前方に進むための開口部が開けられたエクステンション部材と、
前記リフレクタにより反射される光のうち、前記エクステンション部材へ向かう光を遮光するシェードと、を備え、
前記リフレクタは、第１カットオフラインおよび第２カットオフラインを前記発光面の同じ所定の縁の反射像で形成することを特徴とする灯具。
【請求項２】
前記リフレクタは、前記所定の縁の反射像で第１カットオフラインを形成する第１セグメントと、前記所定の縁の反射像で第２カットオフラインを形成する第２セグメントを有し、
第１セグメントと第２セグメントとは、隣り合って配置されることを特徴とする請求項１に記載の灯具。
【請求項３】
前記リフレクタは、前記配光パターンとして車両前方に形成すべきロービーム用配光パターンを形成するよう設けられ、前記光源が発した光を反射して第１カットオフラインおよび第２カットオフラインを含むホットゾーン用配光パターンを形成するホットゾーン形成部と、前記ホットゾーン用配光パターンよりも水平方向に長い拡散配光パターンを形成する拡散領域形成部と、を有し、
前記ホットゾーン形成部は、前記光源までの平均距離が前記拡散領域形成部よりも短くなるよう配置されることを特徴とする請求項１または２に記載の灯具。
【請求項４】
前記リフレクタは、前記配光パターンとして車両前方に形成すべきロービーム用配光パターンを形成するよう設けられ、前記光源が発した光を反射して第１カットオフラインおよび第２カットオフラインを含むホットゾーン用配光パターンを形成するホットゾーン形成部と、前記ホットゾーン用配光パターンよりも水平方向に長い拡散配光パターンを形成する一対の拡散領域形成部と、を有し、
ホットゾーン形成部は、一対の拡散領域形成部の間に配置されることを特徴とする請求項１または２に記載の灯具。
【請求項５】
前記光源が発した光のうち前記リフレクタの外部に向かう光を、前記リフレクタによる反射光の進行方向より上方に反射する付加反射部材をさらに備えることを特徴とする請求項１から４のいずれかに記載の灯具。
【発明の詳細な説明】
【技術分野】
【０００１】
本発明は、灯具に関し、特に、光源が発した光を反射するリフレクタを備える灯具に関する。
【背景技術】
【０００２】
近年、ＬＥＤ（Light Emitting Diode）などの半導体発光素子を用いた車両用灯具の開発が進められている。ここで、複数のＬＥＤの各々が発する光をリフレクタで反射して、ホットゾーン用の配光パターンおよび拡散領域用の配光パターンの各々を形成する車両用灯具が提案されている（例えば、特許文献１または２参照）。
【先行技術文献】
【特許文献】
【０００３】
【特許文献１】特開２００８−２２６７０６号公報
【特許文献１】特開２００８−２２６７０７号公報
【発明の概要】
【発明が解決しようとする課題】
【０００４】
ロービーム用配光パターンのうち、上方のカットオフライン近傍の照度を高めてカットオフラインを明確にすることは、遠方視認性を高めるために重要である。しかしながら、ロービーム用配光パターンは、水平方向に延びるカットオフラインと、中央から斜め上方に延びるカットオフラインの双方を有する場合がある。このため、ＬＥＤなどの光源を用いて、このように互いに角度をもって延在するカットオフラインを適切に形成する技術の開発が求められている。
【０００５】
そこで、本発明は上述した課題を解決するためになされたものであり、その目的は、互いに角度をもって延在するカットオフラインを簡易且つ適切に形成することにある。
【課題を解決するための手段】
【０００６】
上記課題を解決するために、本発明のある態様の灯具は、縁を持つ発光面を有する光源が発した光を反射して、互いに角度を持つ第１カットオフラインおよび第２カットオフラインを有する配光パターンを形成するリフレクタを備える。リフレクタは、第１カットオフラインおよび第２カットオフラインを発光面の同じ所定の縁の反射像で形成する。
【０００７】
この態様によれば、発光面の同じ縁部を利用して、互いに角度を持つ２つのカットオフラインを形成することができる。このため、例えば２つの光源を用いて２つのカットオフラインの各々を形成する場合に比べ、光源に要するコストを削減することができる。また、発光面の異なる２つの縁部の反射像によって２つのカットオフラインの各々を形成する場合に比べ、光源またはリフレクタの構成を簡易にすることができる。
【０００８】
リフレクタは、所定の縁の反射像で第１カットオフラインを形成する第１セグメントと、所定の縁の反射像で第２カットオフラインを形成する第２セグメントを有してもよい。第１セグメントと第２セグメントとは、隣り合って配置されてもよい。
【０００９】
この態様によれば、第１セグメントと第２セグメントとを隣接させることで、第１セグメントと第２セグメントとを離間させた場合に比べ、リフレクタの大きさを抑制することができる。
【００１０】
リフレクタは、前記配光パターンとして車両前方に形成すべきロービーム用配光パターンを形成するよう設けられ、光源が発した光を反射して第１カットオフラインおよび第２カットオフラインを含むホットゾーン用配光パターンを形成するホットゾーン形成部と、ホットゾーン用配光パターンよりも水平方向に長い拡散配光パターンを形成する拡散領域形成部と、を有してもよい。ホットゾーン形成部は、光源までの平均距離が拡散領域形成部よりも短くなるよう配置されてもよい。この態様によれば、高い照度のホットゾーンをより簡易に実現することができる。
【００１１】
リフレクタは、前記配光パターンとして車両前方に形成すべきロービーム用配光パターンを形成するよう設けられ、光源が発した光を反射して第１カットオフラインおよび第２カットオフラインを含むホットゾーン用配光パターンを形成するホットゾーン形成部と、ホットゾーン用配光パターンよりも水平方向に長い拡散配光パターンを形成する一対の拡散領域形成部と、を有してもよい。ホットゾーン形成部は、一対の拡散領域形成部の間に配置されてもよい。
【００１２】
この態様によれば、ロービーム用配光パターンに含まれるホットゾーンと拡散領域の双方を同じ光源を利用して形成することができる。また、ホットゾーン形成部を一対の拡散領域形成部の間に配置することで、リフレクタを簡素に構成することができる。
【００１３】
光源の近傍に配置され、第１カットオフラインまたは第２カットオフラインの上方への光を遮光するシェードをさらに備えてもよい。この態様によれば、これらのカットオフラインをより明確に表示することができる。
【００１４】
光源が発した光のうちリフレクタの外部に向かう光を、リフレクタによる反射光の進行方向より上方に反射する付加反射部材をさらに備えてもよい。この態様によれば、光源が発する光をより有効的に利用することができる。
【発明の効果】
【００１５】
本発明によれば、互いに角度をもって延在するカットオフラインを簡易且つ適切に形成することができる。
【図面の簡単な説明】
【００１６】
【図１】（ａ）は、第１の実施形態に係る車両用前照灯の正面図であり、（ｂ）は、（ａ）のＰ−Ｐ断面図である。
【図２】図１の視点Ｒから見た発光モジュールの図である。
【図３】（ａ）〜（ｄ）は、リフレクタの形状を示す図である。
【図４】灯具ユニットによって仮想鉛直スクリーン上に形成されるロービーム用配光パターンＰＬを示す図である。
【図５】（ａ）は、ホットゾーン形成部に含まれる各セグメントを模式的に示す図であり、（ｂ）は、ホットゾーン形成部によって仮想鉛直スクリーン上に形成されるホットゾーン用配光パターンＰＡを示す図である。
【図６】（ａ）は、拡散領域形成部に含まれる各セグメントを模式的に示す図であり、（ｂ）は、拡散領域形成部によって仮想鉛直スクリーン上に形成される第１拡散配光パターンＰＢを示す図である。
【図７】（ａ）は、拡散領域形成部に含まれる各セグメントを模式的に示す図であり、（ｂ）は、拡散領域形成部によって仮想鉛直スクリーン上に形成される第２拡散配光パターンＰＢ２を示す図である。
【図８】第２の実施形態に係る車両用前照灯の、図１（ａ）におけるＰ−Ｐ断面図である。
【発明を実施するための形態】
【００１７】
以下、図面を参照して本発明の実施の形態（以下、実施形態という）について詳細に説明する。
【００１８】
（第１の実施形態）
図１（ａ）は、第１の実施形態に係る車両用前照灯１０の正面図であり、図１（ｂ）は、図１（ａ）のＰ−Ｐ断面図である。車両用前照灯１０は、ハウジング１２、アウターカバー１４、および灯具ユニット１６を有する。以下、図１（ｂ）において矢印Ｘが向く方向を灯具前方として説明する。また、灯具前方にみて右側を灯具右側、左側を灯具左側という。なお、車両用前照灯１０は、車両左前部および右前部にそれぞれに１つずつ設けられる。図１（ａ）および図１（ｂ）は、左右いずれかの車両用前照灯１０の構成を示している。
【００１９】
ハウジング１２は開口を有する箱状に形成される。アウターカバー１４は透光性を有する樹脂またはガラスによって椀状に形成される。アウターカバー１４は、縁部がハウジング１２の開口部に取り付けられる。こうして、ハウジング１２とアウターカバー１４とによって覆われる領域に灯室が形成される。
【００２０】
灯室内には、灯具ユニット１６が設けられる。灯具ユニット１６は、灯具前方に光を照射するよう灯室内に配置される。灯具ユニット１６は、支持プレート１８、支持部材２０、発光モジュール２２、リフレクタ２４、シェード２６、ヒートシンク２８、および冷却ファン３０を有する。灯具ユニット１６は、車両前方に照射すべきロービーム用配光パターンを形成するロービーム用光源として用いられる。灯具ユニット１６の灯具前方には、リフレクタ２４によって反射された光が灯具前方に進むための開口部を有するエクステンションリフレクタ３４が設けられる。
【００２１】
支持プレート１８は、コーナー部のうち３個所がエイミングスクリュー３２によってハウジング１２に固定される。支持部材２０は、厚みのある矩形の板状に形成され、一側面が支持プレート１８の前面に固定される。光源である発光モジュール２２は、主光軸がやや灯具後方に向くよう支持部材２０の下面に取り付けられる。支持部材２０は、発光モジュール２２が発する熱を効率よく回収できるよう、アルミニウムなど熱伝導率が高い材料によって形成される。支持部材２０の上面にはヒートシンク２８を介して冷却ファン３０が取り付けられている。こうして発光モジュール２２は、支持部材２０およびヒートシンク２８を介して冷却ファン３０によって冷却され、温度の上昇が抑制されている。
【００２２】
リフレクタ２４は、支持部材２０の下方に位置するよう支持プレート１８の前面に取り付けられる。リフレクタ２４は、発光モジュール２２が発した光を灯具前方に向けて集光する光学部材として機能する。具体的には、リフレクタ２４は、発光モジュール２２が発する光を灯具前方に反射してロービーム用配光パターンを形成する。
【００２３】
シェード２６は、板状に形成され、発光モジュール２２の近傍に略垂直に配置される。シェード２６は、リフレクタ２４によって灯具前方に反射される光のうち、エクステンションリフレクタ３４を反射してロービーム用配光パターンより上方に向かう光を遮光する。これにより、非有効反射面であるエクステンションリフレクタ３４を反射して車両前方に存在する者へ与えるグレアを抑制することができる。なおシェード２６は、垂直に配置されていなくてもよく、水平、または水平方向に対して傾斜して配置されてもよい。また、シェード２６は、発光モジュール２２からリフレクタ２４に直接向かう光を遮らない位置に配置される。
【００２４】
図２は、図１の視点Ｒから見た発光モジュール２２の図である。発光モジュール２２は、複数の発光素子５０によって構成される発光素子列５２と、基板５４とを有する。第１の実施形態では、発光素子５０は４つ設けられており、この４つの発光素子５０が基板５４に実装されている。なお、発光素子５０の数が４つに限定されないことは勿論であり、１つ、または他の数の複数の発光素子５０が設けられてもよい。
【００２５】
発光素子５０は、半導体発光素子（図示せず）および蛍光体（図示せず）を有する。第１の実施形態では、発光素子５０は、白色光を発するよう設けられている。具体的には、半導体発光素子には、主として青色光を発する青色ＬＥＤが採用されている。また、蛍光体は、青色光を黄色光に波長変換するものが採用されている。半導体発光素子が発光すると、半導体発光素子が発する青色光と、蛍光体によって波長変換された黄色光とが加法混色され、発光素子５０の発光面から白色光が発せられる。このように半導体発光素子および蛍光体は公知であるため、詳細についての説明は省略する。
【００２６】
なお、発光素子５０が白色光を発するものに限定されないことは勿論であり、薄い黄色光や薄い青色光など他の色を発するものであってもよい。また、半導体発光素子は、例えば紫外光など青色以外の他の波長の光を主として発するものであってもよい。
【００２７】
第１の実施形態では、複数の発光素子５０の各々は正方形に形成されている。なお、発光素子５０の各々は、正方形以外の矩形に形成されていてもよい。複数の発光素子５０の各々は、一端縁が隣の発光素子５０の一端縁に接した状態で一列に並ぶよう配置され、発光素子列５２を構成する。したがって発光素子列５２は、細長い矩形の発光面５２ａを有する一体的な面光源として機能する。なお、発光素子列５２に代えて、細長い矩形の発光素子が単一で用いられてもよい。また、発光素子列５２の発光面５２ａは、矩形以外の他の形状に形成されてもよい。また、発光面５２ａは、平らな面でなくてもよく、後述するように第１カットオフラインＣＬ１および第２カットオフラインＣＬ２を形成するための縁を有していればよい。
【００２８】
発光面５２ａは細長い矩形に形成されるため、発光面５２ａは長い２つの直線状の縁と短い２つの直線状の縁の計４つの縁を有する。この４つの縁のうち長い縁である上端縁５２ｂが、ロービーム用配光パターンのカットオフラインの形成に利用される。
【００２９】
図３（ａ）〜図３（ｄ）は、リフレクタ２４の形状を示す図である。具体的には、図３（ａ）、図３（ｂ）、図３（ｃ）は、それぞれリフレクタ２４の斜視図、正面図、上面図である。図３（ｄ）は、図３（ｃ）におけるＱ−Ｑ断面図である。
【００３０】
リフレクタ２４は、反射面２４ａおよび凹部２４ｂを有する。凹部２４ｂは、支持部材２０の下方の外形と略同一形状に形成されており、凹部２４ｂが支持部材２０の下部に嵌め込まれてリフレクタ２４が支持部材２０に対し位置決めされる。
【００３１】
反射面２４ａは、ホットゾーン形成部２４Ａ、拡散領域形成部２４Ｂ、２４Ｃを有する。ホットゾーン形成部２４Ａは、拡散領域形成部２４Ｂ、２４Ｃの間に配置される。拡散領域形成部２４Ｂは、リフレクタ２４を正面に見て、すなわち灯具後方に向かってホットゾーン形成部２４Ａの右側に配置され、拡散領域形成部２４Ｃは、灯具後方に向かってホットゾーン形成部２４Ａの左側に配置される。ホットゾーン形成部２４Ａは、発光モジュール２２が発する光を灯具前方に反射して、後述するホットゾーン用配光パターンを形成する。拡散領域形成部２４Ｂ、２４Ｃは、発光モジュール２２が発する光を灯具前方に反射して、後述する拡散配光パターンを形成する。
【００３２】
ホットゾーン形成部２４Ａは、発光モジュール２２までの平均距離が拡散領域形成部２４Ｂ、２４Ｃよりも短くなるよう配置されている。この平均距離は、ホットゾーン形成部２４Ａ、拡散領域形成部２４Ｂ、２４Ｃの各々の表面と発光モジュール２２の中心と距離の平均値であり、積分によって算出してもよい。これにより、照度の高いホットゾーンを簡易に形成することができる。
【００３３】
ホットゾーン形成部２４Ａ、拡散領域形成部２４Ｂ、２４Ｃの各々は、複数のセグメントを有する。複数のセグメントの各々は滑らかな曲面として形成され、互いに縁で接する隣のセグメントとは段差または折り目を介して接続されている。
【００３４】
図４は、灯具ユニット１６によって仮想鉛直スクリーン上に形成されるロービーム用配光パターンＰＬを示す図である。ロービーム用配光パターンＰＬは、非平行に延在することにより互いに角度を持って交わる第１カットオフラインＣＬ１および第２カットオフラインＣＬ２を有する。第１カットオフラインＣＬ１は、消点から上下方向に伸びる鉛直線（Ｖ−Ｖ線）よりも右側において、水平線（Ｈ−Ｈ線）よりもわずかに（０．９度）下方に水平方向に延在する。第２カットオフラインＣＬ２は、第１カットオフラインＣＬ１とＶ−Ｖ線との交点から左に進むほど高くなるよう傾斜して延在する。上述のシェード２６は、これら第１カットオフラインおよび第２カットオフラインより上方への光を遮光するよう設けられている。
【００３５】
灯具ユニット１６は、ロービーム用配光パターンＰＬを形成する。具体的には、ホットゾーン形成部２４Ａは、発光モジュール２２が発した光を反射して第１カットオフラインおよび第２カットオフラインを含むホットゾーン用配光パターンＰＡを形成する。拡散領域形成部２４Ｂ、２４Ｃは、ホットゾーン用配光パターンＰＡよりも水平方向に長い拡散配光パターンＰＢを形成する。上述のように、ホットゾーン形成部２４Ａは、拡散領域形成部２４Ｂ、２４Ｃの間に配置される。このように光を拡散させる拡散領域形成部２４Ｂ、２４Ｃを、ホットゾーン形成部２４Ａの外側に配置することにより、リフレクタ２４の形状の複雑化を回避することができる。
【００３６】
ロービーム用配光パターンＰＬは、ホットゾーン用配光パターンＰＡと拡散配光パターンＰＢとが重ね合わされて形成される。拡散配光パターンＰＢは、水平方向に延在するよう形成され、ロービーム用配光パターンＰＬと同じ水平方向の長さを有する。拡散配光パターンＰＢは、Ｖ−Ｖ線より右側の上端縁によって第１カットオフラインＣＬ１を形成する。
【００３７】
ホットゾーン用配光パターンＰＡは、ロービーム用配光パターンＰＬのうち、照度を高くすべきホットゾーンを含むよう形成される。ホットゾーン用配光パターンＰＡは、互いに角度を持って交わる第１カットオフラインＣＬ１および第２カットオフラインＣＬ２を含む。ホットゾーン用配光パターンＰＡは、水平方向および鉛直方向の双方の長さが拡散配光パターンＰＢよりも小さく形成される。
【００３８】
図５（ａ）は、ホットゾーン形成部２４Ａに含まれる各セグメントを模式的に示す図であり、図５（ｂ）は、ホットゾーン形成部２４Ａによって仮想鉛直スクリーン上に形成されるホットゾーン用配光パターンＰＡを示す図である。図５（ａ）は、リフレクタ２４を正面に見た図、すなわちリフレクタ２４を灯具後方に向かって見た図を示している。図５（ｂ）は、ホットゾーン形成部２４Ａによって仮想鉛直スクリーンに形成されるホットゾーン用配光パターンＰＡを灯具前方に向かって見た図を示している。
【００３９】
ホットゾーン形成部２４Ａは、上下方向３列、左右方向２列に分割されることによって形成されたセグメントＡ１〜Ａ６の６つのセグメントを有する。セグメントＡ１〜Ａ６の各々は矩形に形成されている。セグメントＡ１〜Ａ３は、灯具後方に向かって右の列に含まれ、上から下に向かってセグメントＡ１、Ａ２、Ａ３の順に配置されている。セグメントＡ１〜Ａ３は、灯具後方に向かって左の列に含まれ、上から下に向かってＡ４、Ａ５、Ａ６の順に配置されている。
【００４０】
ホットゾーン用配光パターンＰＡは、投影像ＰＡ１〜ＰＡ６が重畳されることによって形成される。投影像ＰＡ１〜ＰＡ６の各々は、セグメントＡ１〜Ａ６の各々による反射光によって形成される。
【００４１】
セグメントＡ１〜Ａ３の各々は、発光面５２ａが細長い矩形に形成されていることを利用して、水平方向に延在する投影像ＰＡ１〜ＰＡ３を形成する。具体的には、投影像ＰＡ１は、ホットゾーン用配光パターンＰＡと略同一の水平方向の長さを有する。投影像ＰＡ１は、上端縁が第１カットオフラインＣＬ１と重なるよう形成される。また、投影像ＰＡ１は、水平方向における中央部がＶ−Ｖ線より右側に位置するよう形成される。
【００４２】
投影像ＰＡ２は、投影像ＰＡ１よりも短い水平方向の長さを有する。投影像ＰＡ２もまた、上端縁が第１カットオフラインＣＬ１と重なるよう、且つ水平方向における中央部がＶ−Ｖ線よりわずかに右側に位置するよう形成される。投影像ＰＡ３は、投影像ＰＡ２よりも短い水平方向の長さを有する。投影像ＰＡ３は、上端縁が第１カットオフラインＣＬ１と重なるよう、且つ水平方向における中央部がＶ−Ｖ線よりわずかに右側に位置するよう形成される。
【００４３】
このように、セグメントＡ１〜Ａ３は、投影像ＰＡ１〜ＰＡ３を重畳した配光パターンを形成することにより、上端縁が第１カットオフラインＣＬ１に重なるよう水平方向に延在すると共に、消点に近づくにしたがって照度が増加する配光パターンを形成する。
【００４４】
セグメントＡ４〜Ａ６の各々は、発光面５２ａが細長い矩形に形成されていることを利用して、第２カットオフラインＣＬ２と略平行に延在する投影像ＰＡ４〜ＰＡ６を形成する。具体的には、投影像ＰＡ４は、上端縁が第２カットオフラインＣＬ２の全長と重なるよう斜めに延在して形成される。このため、投影像ＰＡ４は、ホットゾーン用配光パターンＰＡの約半分の長さを有する。また、投影像ＰＡ４は、右端部がＶ−Ｖ線よりわずかに右に位置し、左端部がホットゾーン用配光パターンＰＡの左端部に位置するよう形成される。
【００４５】
投影像ＰＡ５は、第２カットオフラインＣＬ２と平行な方向および垂直な方向の双方の長さが投影像ＰＡ４よりも短く形成される。投影像ＰＡ５もまた、上端縁が第２カットオフラインＣＬ２と重なるよう斜めに延在して形成される。また、投影像ＰＡ５は、右端部が消点と投影像ＰＡ４の右端部との間に位置し、左端部が投影像ＰＡ４の左端部よりも消点寄りに位置するよう形成される。
【００４６】
投影像ＰＡ６は、第２カットオフラインＣＬ２と平行な方向および垂直な方向の双方の長さが投影像ＰＡ５よりも短く形成される。投影像ＰＡ６もまた、上端縁が第２カットオフラインＣＬ２と重なるよう斜めに延在して形成される。また、投影像ＰＡ６は、右端部が消点と投影像ＰＡ５の右端部との間に位置し、左端部が投影像ＰＡ５の左端部よりも消点寄りに位置するよう形成される。
【００４７】
このように、セグメントＡ４〜Ａ６は、投影像ＰＡ４〜ＰＡ６を重畳した配光パターンを形成することにより、上端縁が第２カットオフラインＣＬ２に重なるよう斜めに延在すると共に、消点に近づくにしたがって照度が増加する配光パターンを形成する。
【００４８】
ここで、ホットゾーン形成部２４Ａは、第１カットオフラインＣＬ１および第２カットオフラインＣＬ２を、発光面５２ａの同じ上端縁５２ｂの反射像で形成する。近年、ＬＥＤ光源など、平面上の発光面を持つ面発光源の開発が急激に進められている。このような面発光源は縁を有する。このような面発光源の縁を利用してカットオフラインを形成することで、明確なカットオフラインを簡易に形成することが可能となる。
【００４９】
さらに、第１の実施形態では、細長い矩形の発光面５２ａを有する発光素子列５２を光源として利用している。このため、細長い配光パターンを形成するために発光面が発する光を過度に拡散して反射することを回避でき、明確なカットオフラインの形成をより容易なものとしている。
【００５０】
さらに、セグメントＡ１〜Ａ３は、発光面５２ａにおける上端縁５２ｂの反射像で第１カットオフラインＣＬ１を形成する。セグメントＡ４〜Ａ６は、発光面５２ａにおける上端縁５２ｂの反射像で第２カットオフラインを形成する。このように発光面５２ａの同じ上端縁５２ｂの反射像で、互いに角度を持って延在する第１カットオフラインＣＬ１および第２カットオフラインＣＬ２を形成することにより、例えば互いに角度をもって延在する２列の発光素子列５２の反射像で第１カットオフラインＣＬ１および第２カットオフラインＣＬ２を形成する場合などに比べ、発光素子に要するコストを抑制することができる。
【００５１】
また、第１カットオフラインＣＬ１を形成するセグメントＡ１〜Ａ３と、第２カットオフラインＣＬ２を形成するセグメントＡ４〜Ａ６とは、隣り合って配置される。これにより、例えばセグメントＡ１〜Ａ３とセグメントＡ４〜Ａ６とを離間させた場合に比べ、ホットゾーン形成部２４Ａの大きさを抑制することができる。
【００５２】
なお、セグメントＡ１〜Ａ３のいずれかが第１カットオフラインＣＬ１を形成し、残りは第１カットオフラインＣＬ１を形成しなくてもよい。また、セグメントＡ４〜Ａ６のいずれかが第２カットオフラインＣＬ２を形成し、残りは第２カットオフラインＣＬ２を形成しなくてもよい。
【００５３】
図６（ａ）は、拡散領域形成部２４Ｂに含まれる各セグメントを模式的に示す図であり、図６（ｂ）は、拡散領域形成部２４Ｂによって仮想鉛直スクリーン上に形成される第１拡散配光パターンＰＢ１を示す図である。図６（ａ）は、リフレクタ２４を正面に見た図、すなわちリフレクタ２４を灯具後方に向かって見た図を示している。図６（ｂ）は、拡散領域形成部２４Ｂの反射光によって仮想鉛直スクリーンに形成される第１拡散配光パターンＰＢ１を灯具前方に向かって見た図を示している。
【００５４】
拡散領域形成部２４Ｂは、上下方向２列に分割される。このうち上の列は左右方向に並ぶ２つのセグメントに分割され、下の列は左右方向に並ぶ３つのセグメントに分割される。この結果、拡散領域形成部２４Ｂは５つのセグメントＢ１〜Ｂ５に分割される。セグメントＢ１、Ｂ２の各々は矩形に形成されている。拡散領域形成部２４Ｂの下端縁は円弧状となっているため、セグメントＢ３〜Ｂ５の各々は、矩形の下部が斜めに切り取られた台形状に形成されている。セグメントＢ１、Ｂ２は、拡散領域形成部２４Ｂの上の列に、灯具後方に向かって左から右にセグメントＢ１、Ｂ２の順に配置されている。セグメントＢ３〜Ｂ５は、拡散領域形成部２４Ｂの下の列に、灯具後方に向かって左から右にセグメントＢ３〜Ｂ５の順に配置されている。
【００５５】
第１拡散配光パターンＰＢ１は、投影像ＰＢ１１〜ＰＢ１５が重畳されることによって形成される。投影像ＰＢ１１〜ＰＢ１５の各々は、セグメントＢ１〜Ｂ５の各々による反射光によって形成される。
【００５６】
セグメントＢ１〜Ｂ５の各々は、発光面５２ａが細長い矩形に形成されていることを利用して、水平方向に延在する投影像ＰＢ１１〜ＰＢ１５を形成する。具体的には、投影像ＰＢ１１は、拡散配光パターンＰＢよりも短い長さで水平方向に延在するよう形成される。このとき投影像ＰＢ１１は、灯具前方に向かって右端部が拡散配光パターンＰＢの右端部に位置し、左端部が拡散配光パターンＰＢの左端部よりもＶ−Ｖ線寄りに位置するよう形成される。また、投影像ＰＢ１１は、上端縁が第１カットオフラインＣＬ１と重なるよう形成される。
【００５７】
投影像ＰＢ１２は、投影像ＰＢ１１よりも短い長さで水平方向に延在するよう形成される。このとき投影像ＰＢ１２は、灯具前方に向かって右端部が拡散配光パターンＰＢの右端部に位置し、左端部が投影像ＰＢ１１の左端部よりもＶ−Ｖ線寄りに位置するよう形成され、さらに上端縁が第１カットオフラインＣＬ１と重なるよう形成される。
【００５８】
投影像ＰＢ１３は、投影像ＰＢ１２よりも短い長さで水平方向に延在するよう形成される。このとき投影像ＰＢ１３は、水平方向の中央部がＶ−Ｖ線付近に位置し、左端部が投影像ＰＢ１２の左端部よりもＶ−Ｖ線寄りに位置するよう形成され、さらに上端縁が第１カットオフラインＣＬ１と重なるよう形成される。
【００５９】
投影像ＰＢ１４は、投影像ＰＢ１３よりも短い長さで水平方向に延在するよう形成される。このとき投影像ＰＢ１４は、水平方向の中央部がＶ−Ｖ線付近に位置し、左右の端部が投影像ＰＢ１３の左右の端部よりもＶ−Ｖ線寄りに位置するよう形成され、さらに上端縁が第１カットオフラインＣＬ１と重なるよう形成される。
【００６０】
投影像ＰＢ１５は、投影像ＰＢ１４よりも短い長さで水平方向に延在するよう形成される。このとき投影像ＰＢ１５は、水平方向の中央部がＶ−Ｖ線付近に位置し、左右の端部が投影像ＰＢ１４の左右の端部よりもＶ−Ｖ線寄りに位置するよう形成され、さらに上端縁が第１カットオフラインＣＬ１と重なるよう形成される。
【００６１】
図７（ａ）は、拡散領域形成部２４Ｃに含まれる各セグメントを模式的に示す図であり、図７（ｂ）は、拡散領域形成部２４Ｃによって仮想鉛直スクリーン上に形成される第２拡散配光パターンＰＢ２を示す図である。図７（ａ）は、リフレクタ２４を正面に見た図、すなわちリフレクタ２４を灯具後方に向かって見た図を示している。図７（ｂ）は、拡散領域形成部２４Ｃの反射光によって仮想鉛直スクリーンに形成される第２拡散配光パターンＰＢ２を灯具前方に向かって見た図を示している。
【００６２】
拡散領域形成部２４Ｃは、上下方向２列に分割される。このうち上の列は左右方向に並ぶ２つのセグメントに分割され、下の列は左右方向に並ぶ３つのセグメントに分割される。この結果、拡散領域形成部２４Ｃは５つのセグメントＣ１〜Ｃ５に分割される。セグメントＣ１、Ｃ２の各々は矩形に形成されている。拡散領域形成部２４Ｃの下端縁は円弧状となっているため、セグメントＣ３〜Ｃ５の各々は、矩形の下部が斜めに切り取られた台形状に形成されている。セグメントＣ１、Ｃ２は、拡散領域形成部２４Ｃの上の列に、灯具後方に向かって右から左にセグメントＣ１、Ｃ２の順に配置されている。セグメントＣ３〜Ｃ５は、拡散領域形成部２４Ｃの下の列に、灯具後方に向かって右から左にセグメントＣ３〜Ｃ５の順に配置されている。
【００６３】
第２拡散配光パターンＰＢ２は、投影像ＰＢ２１〜ＰＢ２５が重畳されることによって形成される。投影像ＰＢ２１〜ＰＢ２５の各々は、セグメントＣ１〜Ｃ５の各々による反射光によって形成される。
【００６４】
セグメントＣ１〜Ｃ５の各々は、発光面５２ａが細長い矩形に形成されていることを利用して、水平方向に延在する投影像ＰＢ２１〜ＰＢ２５を形成する。具体的には、投影像ＰＢ２１は、拡散配光パターンＰＢよりも短い長さで水平方向に延在するよう形成される。このとき投影像ＰＢ２１は、灯具前方に向かって左端部が拡散配光パターンＰＢの左端部に位置し、右端部が拡散配光パターンＰＢの右端部よりもＶ−Ｖ線寄りに位置するよう形成される。また、投影像ＰＢ２１は、上端縁が第１カットオフラインＣＬ１と重なるよう形成される。
【００６５】
投影像ＰＢ２２は、投影像ＰＢ２１よりも短い長さで水平方向に延在するよう形成される。このとき投影像ＰＢ２２は、灯具前方に向かって左端部が拡散配光パターンＰＢの左端部に位置し、右端部が投影像ＰＢ２１の右端部よりもＶ−Ｖ線寄りに位置するよう形成され、さらに上端縁が第１カットオフラインＣＬ１と重なるよう形成される。
【００６６】
投影像ＰＢ２３は、投影像ＰＢ２２よりも短い長さで水平方向に延在するよう形成される。このとき投影像ＰＢ２３は、水平方向の中央部がＶ−Ｖ線付近に位置し、右端部が投影像ＰＢ２２の右端部よりもＶ−Ｖ線寄りに位置するよう形成され、さらに上端縁が第１カットオフラインＣＬ１と重なるよう形成される。
【００６７】
投影像ＰＢ２４は、投影像ＰＢ２３よりも短い長さで水平方向に延在するよう形成される。このとき投影像ＰＢ２４は、水平方向の中央部がＶ−Ｖ線付近に位置し、左右の端部が投影像ＰＢ２３の左右の端部よりもＶ−Ｖ線寄りに位置するよう形成され、さらに上端縁が第１カットオフラインＣＬ１と重なるよう形成される。
【００６８】
投影像ＰＢ２５は、投影像ＰＢ２４よりも短い長さで水平方向に延在するよう形成される。このとき投影像ＰＢ２５は、水平方向の中央部がＶ−Ｖ線付近に位置し、左右の端部が投影像ＰＢ２４の左右の端部よりもＶ−Ｖ線寄りに位置するよう形成され、さらに上端縁が第１カットオフラインＣＬ１と重なるよう形成される。
【００６９】
このように、拡散領域形成部２４Ｂは、セグメントＢ１〜Ｂ５により、投影像ＰＢ１１〜ＰＢ１５を重畳した第１拡散配光パターンＰＢ１を形成する。また、拡散領域形成部２４Ｃは、セグメントＣ１〜Ｃ５により、投影像ＰＢ２１〜ＰＢ２５を重畳した第２拡散配光パターンＰＢ２を形成する。したがって、拡散領域形成部２４Ｂ、２４Ｃは、第１拡散配光パターンＰＢ１と第２拡散配光パターンＰＢ２とを重畳させて、上端縁が第１カットオフラインＣＬ１に重なるよう水平方向に延在すると共に、消点に近づくにしたがって照度が増加する拡散配光パターンＰＢを形成する。
【００７０】
（第２の実施形態）
図８は、第２の実施形態に係る車両用前照灯８０の、図１（ａ）におけるＰ−Ｐ断面図である。車両用前照灯８０は、特に言及しない限り第１の実施形態に係る車両用前照灯１０と同様に構成される。以下、第１の実施形態と同様の個所は同一の符号を付して説明を省略する。
【００７１】
車両用前照灯８０は、灯具ユニット１６に代えて灯具ユニット８２が設けられる以外は、第１の実施形態に係る車両用前照灯１０と同様である。灯具ユニット８２は、シェード２６に代えて付加反射部材８４が設けられた以外は第１の実施形態に係る灯具ユニット１６と同様に構成される。
【００７２】
付加反射部材８４は、発光モジュール２２の近傍に配置され、支持部材２０に固定される。付加反射部材８４は、発光モジュール２２が発した光のうちリフレクタ２４の外部に向かう光を、ＯＨＳ（オーバーヘッドサイン）領域に向けて、リフレクタ２４による反射光の進行方向よりわずかに上方に反射する。また、付加反射部材８４は、発光モジュール２２からリフレクタ２４に直接向かう光を遮らないが、エクステンションリフレクタ３４へ向かう光を遮光する位置に配置される。このように付加反射部材８４は、ＯＨＳ用反射面としての機能と、エクステンションリフレクタ３４への光を遮光するシェードとしての機能とを併有する。
【００７３】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そのような例をあげる。
【００７４】
ある変形例では、リフレクタ２４は、発光モジュール２２が発する光を灯具前方に反射して、ロービーム用配光パターンＰＬに代えて、いわゆるハイビーム用配光パターンの少なくとも一部を形成するよう設けられる。この場合も、リフレクタ２４は、互いに角度を持つ第１カットオフラインおよび第２カットオフラインを有するハイビーム用配光パターンの少なくとも一部を形成する。また、リフレクタ２４は、第１カットオフラインおよび第２カットオフラインを発光面５２ａの同じ所定の縁の反射像で形成する。
【００７５】
例えば灯具ユニットが、分割されたハイビーム用配光パターンの一部を形成するとき、複数のカットオフラインを形成する必要が生じ得る。このうち２つのカットオフラインが互いに角度を持つ場合においても、この例によれば、リフレクタ２４の形状が複雑化することを回避しつつ、カットオフラインを適切に形成することができる。
【００７６】
ある別の変形例では、灯具ユニットは、車両用以外の用途に用いられる。例えば、一般照明用や、装飾照明用として用いられてもよい。この場合も、リフレクタ２４は、互いに角度を持つ第１カットオフラインおよび第２カットオフラインを有する配光パターンの少なくとも一部を形成する。また、リフレクタ２４は、第１カットオフラインおよび第２カットオフラインを発光面５２ａの同じ所定の縁の反射像で形成する。このような用途においても、互いに角度をもつ２つのカットオフラインを形成する場合、リフレクタ２４の形状の複雑化を回避することができる。
【符号の説明】
【００７７】
１０  車両用前照灯、  １６  灯具ユニット、  ２２  発光モジュール、  ２４  リフレクタ、  ２４ａ  反射面、  ２４Ａ  ホットゾーン形成部、  ２４Ｂ，２４Ｃ  拡散領域形成部、  ２６  シェード、  ５０  発光素子、  ５２  発光素子列、  ５２ａ  発光面、  ５２ｂ  上端縁、  ８２  灯具ユニット、  ８４  付加反射部材。
【図１】
0005582865.tif 000002
【図２】
0005582865.tif 000003
【図３】
0005582865.tif 000004
【図４】
0005582865.tif 000005
【図５】
0005582865.tif 000006
【図６】
0005582865.tif 000007
【図７】
0005582865.tif 000008
【図８】
0005582865.tif 000009